(57)【要約】      （修正有）【課題】店内で良好にペットのリードを繋ぎ止めることができる飲食店舗システムを提供する。【解決手段】飲食店舗システムは、床面から鉛直方向に立ち上がる壁３８と、壁に突き当てられる一端２５ｄから壁に直交する方向に開放端２５ｅまで広がり、壁に直交する方向に２縁２５ａ、２５ｂを規定する天板２５を有するテーブル２３と、天板の２縁２５ａ、２５ｂに沿って配置され、座面でひとの臀部を受け、座面の後端から立ち上がる背もたれ２６ｄを有する座席２６と、座席２６の座面よりも上側で、かつ、座席の背もたれよりも前側で壁に固着され、首輪３９から延びるリード４１を繋ぎ止めるリードフック４２とを備える。【選択図】図３
0003221197.tif 000002
【実用新案登録請求の範囲】
【請求項１】
床面から鉛直方向に立ち上がる壁と、
前記壁に突き当てられる一端から前記壁に直交する方向に開放端まで広がり、前記壁に直交する方向に２縁を規定する天板を有するテーブルと、
前記天板の前記２縁に沿って配置され、座面でひとの臀部を受け、前記座面の後端から立ち上がる背もたれを有する座席と、
前記座席の前記座面よりも上側で、かつ、前記座席の前記背もたれよりも前側で前記壁に固着され、首輪から延びるリードを繋ぎ止めるリードフックと
を備えることを特徴とする飲食店舗システム。
【請求項２】
請求項１に記載の飲食店舗システムにおいて、前記リードフックは、前記座席に着席するひとの胸よりも前方に配置されることを特徴とする飲食店舗システム。
【請求項３】
請求項１または２に記載の飲食店舗システムにおいて、前記リードフックは、前記天板の天面から１００ｍｍの高さよりも下方に配置されることを特徴とする飲食店舗システム。
【請求項４】
請求項１〜３のいずれか１項に記載の飲食店舗システムにおいて、前記リードフックは、前記天板の上方に配置されることを特徴とする飲食店舗システム。
【請求項５】
テーブルと、
少なくとも前記テーブルの１辺に沿って配置され、ひとの臀部を受ける座面の後端から立ち上がる背もたれを有するベンチシートと、
前記ベンチシートの背後で床面から鉛直方向に立ち上がる壁と、
前記背もたれの上方で前記壁に固着され、首輪から延びるリードを繋ぎ止めるリードフックと
を備えることを特徴とする飲食店舗システム。
【請求項６】
請求項５に記載の飲食店舗システムにおいて、前記リードフックは、前記ベンチシート上で隣り合う座席の間で前記壁に固着されることを特徴とする飲食店舗システム。
【請求項７】
請求項５または６に記載の飲食店舗システムにおいて、前記リードフックは、前記背もたれの上端から１００ｍｍの高さよりも下方に配置されることを特徴とする飲食店舗システム。
【請求項８】
テーブルと、
少なくとも前記テーブルの１辺に沿って並べられる２つのチェアと、
前記チェアの背後で床面から鉛直方向に立ち上がる壁と、
前記２つのチェアの間で前記壁に固着され、首輪から延びるリードを繋ぎ止めるリードフックと
を備えることを特徴とする飲食店舗システム。
【考案の詳細な説明】
【技術分野】
【０００１】
本考案は、壁で仕切られるホール内に配置されるテーブルおよび座席（チェア、ベンチシートその他）を備える飲食店舗システムに関する。
【背景技術】
【０００２】
特許文献１および２は、首輪から延びるリードを繋ぎ止めるリードフックを開示する。リードフックは建物の外壁に取り付けられる。飼い主は、リードフックにリードを繋ぎ止め、建物外に犬を残して建物に進入することができる。
【先行技術文献】
【特許文献】
【０００３】
【特許文献１】特開平９−１００４０号公報
【特許文献２】特開２０１７−１５３８４３号公報
【考案の概要】
【考案が解決しようとする課題】
【０００４】
ひとの食事だけでなく、犬の食事をも提供する飲食店が提案される。この種の飲食店では、店内で犬が動き回ると、飼い主以外のひとたちに迷惑が及ぶかもしれない。店内にリードフックが設置されれば、飼い主は安心して食事を楽しむことができるかもしれない。
【０００５】
本考案は、店内で良好にリードを繋ぎ止めることができる飲食店舗システムを提供することを目的とする。
【課題を解決するための手段】
【０００６】
本考案の第１側面によれば、床面から鉛直方向に立ち上がる壁と、前記壁に突き当てられる一端から前記壁に直交する方向に開放端まで広がり、前記壁に直交する方向に２縁を規定する天板を有するテーブルと、前記天板の前記２縁に沿って配置され、座面でひとの臀部を受け、前記座面の後端から立ち上がる背もたれを有する座席と、前記座席の前記座面よりも上側で、かつ、前記座席の前記背もたれよりも前側で前記壁に固着され、首輪から延びるリードを繋ぎ止めるリードフックとを備える飲食店舗システムが提供される。
【０００７】
テーブルおよび座席は壁で仕切られるホール内に配置される。リードフックは壁に固着されるので、リードはホール内でリードフックに繋ぎ止められることができる。リードの働きで犬の動きは制限されるので、犬の動きの範囲は限定されることができる。こうして飼い主以外のひとたちに迷惑が及ぶことは防止されることができる。飼い主は安心して犬といっしょに食事を楽しむことができる。
【０００８】
しかも、テーブルの天板の開放端側に犬が居座っても、リードは着席する飼い主の前側に通されることができ、飼い主は継続的にリードの位置を確認することができる。飼い主はリードを利用して犬の位置を調整することができる。加えて、リードは、テーブルに給仕する店員や、着席する飼い主およびその他のひとたちの動線に交差しなくて済む。店員やひとの動きに支障は生じない。ひとの居心地は向上する。
【０００９】
前記リードフックは、前記座席に着席するひとの胸よりも前方に配置されればよい。チェアに着席するひとの胸よりも後方に配置される場合に比べて、ひとの手はリードフックに到達しやすい。ひとは、リードフックに対してリードの着脱を簡単に実施することができる。
【００１０】
前記リードフックは、前記天板の天面から１００ｍｍの高さよりも下方に配置されればよい。リードはリードフックから延びて重力で垂れ下がる。このとき、リードの高さは高くてもテーブルの高さ程度に抑えられるので、ひとは視界内にリードを収めつつもリードを意識せずに済む。その一方で、リードフックが天板の天面から１００ｍｍを超えた高さに位置すると、リードの位置はひとの視線の高さに近づくことから、ひとの意識はどうしてもリードに引き寄せられてしまう。リードが気になって、ひとは落ち着いて食事することができない。
【００１１】
前記リードフックは、前記天板の上方に配置されればよい。リードフックはテーブルの天板の上方で壁から突出することができるので、ひとは、着席や離席にあたって、突出するリードフックとの接触に注意を引かれずに済む。その一方で、天板の輪郭の外側で着席するひとに隣り合って壁からリードフックが突出すると、ひとは着席や離席の動作にあたってリードフックとの接触を危惧してしまう。ひとはリードフックとの接触に煩わされてしまう。
【００１２】
本考案の第２側面によれば、テーブルと、少なくとも前記テーブルの１辺に沿って配置され、ひとの臀部を受ける座面の後端から立ち上がる背もたれを有するベンチシートと、前記ベンチシートの背後で床面から鉛直方向に立ち上がる壁と、前記背もたれの上方で前記壁に固着され、首輪から延びるリードを繋ぎ止めるリードフックとを備える飲食店舗システムが提供される。
【００１３】
テーブルおよびベンチシートは壁で仕切られるホール内に配置される。リードフックは壁に固着されるので、リードはホール内でリードフックに繋ぎ止められることができる。リードの働きで犬の動きは制限されるので、犬の動きの範囲は限定されることができる。こうして飼い主以外のひとたちに迷惑が及ぶことは防止されることができる。飼い主は安心して犬といっしょに食事を楽しむことができる。
【００１４】
しかも、着席や離席にあたって、ひとの動きの経路はベンチシートの背もたれの働きでリードフックに接触しない空間に規制されることができる。ひととリードフックとの接触は回避されることができる。
【００１５】
前記リードフックは、前記ベンチシート上で隣り合う座席の間で前記壁に固着されればよい。リードは、リードフックからテーブルに向かって前方に延びることができる。こうしてリードは着席する飼い主の前側に通されることができる。飼い主は継続的にリードの位置を確認することができる。飼い主はリードを利用して犬の位置を調整することができる。加えて、着席および離席の動線とリードとの干渉は回避されることができる。
【００１６】
前記リードフックは、前記背もたれの上端から１００ｍｍの高さよりも下方に配置されればよい。リードフックは、視覚的に壁から盛り上がる背もたれに紛れることから、ひとは、視界にリードフックが入ってきても、突出するリードフックに注意を引かれずに済む。その一方で、リードフックが背もたれの上端から１００ｍｍを超えた高さに位置すると、ひとの視界の中で壁から突出するリードフックに無意識に注意が向けられることから、ひとは着席や離席の動作にあたってリードフックとの接触を危惧してしまう。ひとはリードフックとの接触に煩わされてしまう。
【００１７】
本考案の第３側面によれば、テーブルと、少なくとも前記テーブルの１辺に沿って並べられる２つのチェアと、前記チェアの背後で床面から鉛直方向に立ち上がる壁と、前記２つのチェアの間で前記壁に固着され、首輪から延びるリードを繋ぎ止めるリードフックとを備える飲食店舗システムが提供される。
【００１８】
テーブルおよび座席は壁で仕切られるホール内に配置される。リードフックは壁に固着されるので、リードはホール内でリードフックに繋ぎ止められることができる。リードの働きで犬の動きは制限されるので、犬の動きの範囲は限定されることができる。こうして飼い主以外のひとたちに迷惑が及ぶことは防止されることができる。飼い主は安心して犬といっしょに食事を楽しむことができる。
【００１９】
リードは、リードフックからテーブルに向かって前方に延びることができる。こうしてリードは着席する飼い主の前側に通されることができる。飼い主は継続的にリードの位置を確認することができる。飼い主はリードを利用して犬の位置を調整することができる。加えて、着席および離席の動線とリードとの干渉は回避されることができる。
【考案の効果】
【００２０】
以上のように開示の飲食店舗システムによれば、店内で良好にリードを繋ぎ止めることができる。
【図面の簡単な説明】
【００２１】
【図１】本考案の一実施形態に係る飲食店舗システムを含む建造物の外観を概略的に示す斜視図である。
【図２】本実施形態に係る飲食店舗システムを採用するキッチンおよびホールの構造を概略的に示す遠近法図である。
【図３】第１実施形態に係るテーブルおよび座席を示す斜視図である。
【図４】リードフックの構造を概略的に示す拡大図である。
【図５】図３に対応し、第１実施形態の一変形例に係るテーブルおよび座席を示す斜視図である。
【図６】第２実施形態に係るテーブルおよび座席を示す斜視図である。
【図７】図６に対応し、第２実施形態の一変形例に係るテーブルおよびチェアを示す斜視図である。
【図８】第３実施形態に係るテーブルおよび座席を示す斜視図である。
【図９】図８に対応し、第３実施形態の一変形例に係るテーブルおよびチェアを示す斜視図である。
【考案を実施するための形態】
【００２２】
以下、添付図面を参照しつつ本考案の一実施形態を説明する。
【００２３】
図１は本考案の一実施形態に係る店舗を含む建造物の外観を概略的に示す。建造物１１は、鉄筋コンクリートや鉄筋鉄骨コンクリートその他の材質から形成される柱、梁、床、壁および天井を有する躯体１２と、躯体１２に組み込まれる窓枠１３や扉枠１４とを備える。窓枠１３にはガラス板が嵌め込まれる。扉枠１４には開き戸が開閉自在に組み込まれる。開き戸は垂直軸線回りに回転可能にヒンジで縦枠に連結される。
【００２４】
図２に示されるように、建造物１１には飲食店舗システムＭが組み込まれる。飲食店舗システムＭは、躯体１２に組み付けられてキッチン１５を区画する第１構造体１６と、躯体１２に組み付けられて、キッチン１５から分離されたホール１７を区画する第２構造体１８とを備える。第１構造体１６および第２構造体１８は、それぞれ、間仕切り１９や置き床２１、天井板２２などを含む。ここでは、キッチン１５は間仕切り１９でホール１７から分離される。その他、キッチン１５はカウンターでホール１９から分離されるオープンキッチンに構成されてもよい。
【００２５】
飲食店舗システムＭは、ホール１７内に設置される１以上のテーブル２３を備える。個々のテーブル２３は、置き床２１の床面から所定の高さに脚２４で支持される天板２５を備える。天板２５の天面には、座席を収容する座席スペースを形成する線形の第１辺２５ａと、第１辺２５ａに向き合って、座席を収容する座席スペースを形成する線形の第２辺２５ｂとが規定される。座席スペースはひとりひとりに割り当てられる。１つの座席スペースは標準的な大人に十分な大きさに形成される。ここでは、第１辺２５ａと第２辺２５ｂとは相互に平行に位置する。天面の輪郭は、第１辺２５ａおよび第２辺２５ｂから等距離に位置する中間線に直交し、第１辺２５ａから第２辺２５ｂまで延びる側辺２５ｃをさらに含む。したがって、天面の輪郭は矩形である。矩形の角は面取りされてもよい。
【００２６】
テーブル２３には、第１辺２５ａに沿って個々の座席スペースごとに配置されるチェア２６と、第２辺２５ｂに沿って複数の座席スペースに共通に配置されるベンチシート２７とが組み合わせられる。チェア２６およびベンチシート２７は、床面から決められた高さに位置し、ひとＨＢの臀部を支持する座面を有する。チェア２６およびベンチシート２７にひとＨＢは着席することができる。
【００２７】
テーブル２３には、第１辺２５ａに沿って特定の座席スペースに配置されるドッグチェア２８が組み合わせられる。ドッグチェア２８は、犬ＤＧを支持する座面２８ａを有する。ドッグチェア２８の座面２８ａは置き床２１の表面（床面）から所定の高さに位置する。
【００２８】
ドッグチェア２８は、床面に平行に水平面内に広がる座面２８ａを形成するシート２９ａを備える。シート２９ａはレッグ２９ｂで床上に支持される。シート２９ａには、座面２８ａ上の空間を後方から覆う背もたれ２９ｃが結合される。座面２８ａ上の空間の左右両側で背もたれ２９ｃおよびシート２９ａには肘掛け２９ｄが結合される。
【００２９】
個々のテーブル２３にはロースター３１が設置される。ロースター３１は、バーナーの上方で金網３１ａを保持する開口３１ｂと、金網３１ａの上方で金網３１ａを取り囲み開口３１ｂの内壁に配置される排気口３１ｃとを備える。金網３１ａの上に置かれた食材はバーナーで焼かれることができる。排気口３１ｃは金網３１ａ上の空間に向き合わせられる。金網３１ａ上の空間から排気口３１ｃに空気は流入する。
【００３０】
飲食店舗システムＭは、少なくともキッチン１５およびホール１７で流通する第１食器３２および第２食器３３を備える。第１食器３２および第２食器３３は個々のテーブル２３に載せられる。第１食器３２はひとＨＢに対する食事の提供に用いられる。第１食器３２は皿および椀、ボウル、箸、スプーン、フォークその他を含む。
【００３１】
第２食器３３は犬ＤＧに対する食事の提供に用いられる。第２食器３３は皿および椀、ボウル、箸、スプーン、フォークその他を含む。ひとＨＢに専用の第１食器３２と犬ＤＧに専用の第２食器３３とは分別される。ひとＨＢ専用の第１食器３２は犬ＤＧの食事には用いられない。犬ＤＧ専用の第２食器３３はひとＨＢの食事には用いられない。ここでは、第１食器３２は第２食器３３から色分けされる。第１食器３２の皿や椀、ボウルは例えば白色に着色される一方で、第２食器３３の皿や椀、ボウルは例えば赤色に着色される。第２食器３３は例えば床面に置かれる犬ＤＧ用の食事台３４に載せられてもよい。
【００３２】
キッチン１５には、ガスコンロ３５といった調理器具や冷蔵庫その他の電化製品が設置される。ガスコンロ３５で食材の調理は実施される。ガスコンロ３５の上方には換気扇ユニット３６が設置される。換気扇ユニット３６でシロッコファンが回転すると、ガスコンロ３５上の空間から空気は換気口３７に流入する。ガスコンロ３５で熱せられ食材の調理匂いを含む空気は換気口３７に吸い込まれる。
【００３３】
第１食器３２の皿や椀、ボウルにはキッチン１５で食物が盛りつけられる。第１食器３２はキッチン１５からホール１７に運ばれる。第１食器３２には、テーブル２３に着くひとＨＢに提供される食物が支持される。食後の第１食器３２は例えばキッチン１５内の洗い場で洗浄される。こうして第１食器３２は少なくともキッチン１５およびホール１７で流通する。
【００３４】
同様に、第２食器３３の皿や椀、ボウルにはキッチン１５で食物が盛りつけられる。第２食器３３はキッチン１５からホール１７に運ばれる。第２食器３３には、ひとＨＢに連れられてきた犬ＤＧに提供される食物が支持される。食後の第２食器３３は例えばホール１７内の洗い場で洗浄される。こうして第２食器３３は少なくともキッチン１５およびホール１７で流通する。
【００３５】
図３はテーブル２３およびチェア２６の一具体例を示す。ここでは、テーブル２３の天板２５は、壁３８に突き当てられる一端２５ｄから壁３８に直交する方向に開放端２５ｅまで広がる。壁３８は置き床２１の表面（床面）から鉛直方向に立ち上がる。天板２５の第１辺２５ａおよび第２辺２５ｂは、壁３８に直交する方向に規定される。チェア２６は、第１辺２５ａおよび第２辺２５ｂに沿ってそれぞれ２つずつ配置される。チェア２６は、座面でひとの臀部を受けるシート２６ａを備える。シート２６ａには、床面から予め決められた高さで座面を支持する前後のレッグ２６ｂ、２６ｃと、座面の後端から立ち上がる背もたれ２６ｄとが結合される。
【００３６】
壁３８には犬ＤＧの首輪３９から延びるリード４１を繋ぎ止めるリードフック４２が固着される。リードフック４２は、ひとＨＢがチェア２６に着席した際に、チェア２６の座面よりも上側で、かつ、背もたれ２６ｄよりもテーブル２３に向かって前側に配置される。リードフック４２の位置決めにあたって、ひとＨＢは背もたれ２６ｄぎりぎりまで腰を沈め、着席するひとＨＢの腹とテーブル２３との距離は１５０ｍｍに設定される。ここでは、チェア２６にひとＨＢが着席した際に、リードフック４２はひとＨＢの胸よりも前方に位置する。加えて、リードフック４２は、天板２５の天面から１００ｍｍの高さよりも下方に配置される。リードフック４２は、テーブル２３の天板２５の上方で壁３８から突出する。
【００３７】
図４に示されるように、リードフック４２は、一部にゲート４３を有する環状体４４に形成される。リードフック４２は、環状体４４に結合されて、壁３８に固定される上下の固定片４５を備える。固定片４５は例えば水平軸線に軸心を有するねじ４６で壁３８にねじ止めされればよい。
【００３８】
環状体４４は、ゲート４３の下端から空間４７を囲みながらゲート４３の上端まで延びる本体４８と、ゲート４３の上端で本体４８に連結されるゲート部材４９とを備える。本体４８は、例えば金属製の長尺材が折り曲げられて形作られる。本体４８には、ゲート４３の下端に下方から接する水平面ＨＲよりも下方に膨らむ係り体４８ａが含まれる。
【００３９】
ゲート部材４９は、ゲート４３の上端で本体４８に嵌め込まれる連結軸５１で本体４８に連結される。ゲート部材４９は連結軸５１回りで揺動する。連結軸５１の軸心は例えば水平方向に延びる。揺動に応じてゲート部材４９はゲート４３を開閉する。リードの持ち手はゲート４３から環状体４４内に進入して保持される。持ち手（輪）と環状体（輪）４４とは鎖状に連結される。
【００４０】
ゲート部材４９の下端には、連結軸５１から遠ざかるにつれて環状体４４の内方に変位する傾斜面５２が形成される。したがって、ゲート部材４９は、閉じ位置から連結軸５１回りで環状体４４の内方に向かって変位するものの、連結軸５１回りで閉じ位置から環状体４４の外方に向かって変位することはできない。
【００４１】
ゲート部材４９には、連結軸５１に近い一端で開口する収容空間５３が区画される。収容空間５３には弦巻ばね５４が収容される。弦巻ばね５４には、収容空間５３の開口５３ａから外側に延びるリンク部材５５が連結される。リンク部材５５の先端は連結軸５１から内方に（空間４７側に）ずれた位置で本体４８に支持される。本体４８には、ゲート４３の上端で連結軸５１から内方に（空間４７側に）ずれた位置に、リンク部材５５の先端を受け入れる溝５６が形成される。ゲート部材４９が連結軸５１回りで揺動して空間４７内に進入すると、リンク部材５５は弦巻ばね５４を収縮させる。弦巻ばね５４は閉じ位置に向かってゲート部材４９を駆動する弾性力を発揮する。こうして弦巻ばね５４の働きでゲート部材４９は閉じ位置に保持されることができる。
【００４２】
食事にあたってひとＨＢはチェア２６に着席する。ひとＨＢは、チェア２６の背後からチェア２６の側方をすり抜けてシート２６ａの座面に臀部を下ろす。その後、リードフック４２にリード４１を繋ぎ止める。リードフック４２は壁３８に固着されるので、リード４１はホール１７内でリードフック４２に繋ぎ止められることができる。リード４１の働きで犬ＤＧの動きは制限されるので、犬ＤＧの動きの範囲は限定される。こうして飼い主以外のひとＨＢたちに迷惑が及ぶことは防止される。飼い主は安心して犬ＤＧといっしょに食事を楽しむことができる。
【００４３】
しかも、テーブル２３の天板２５の開放端２５ｅ側に犬ＤＧが居座っても、リード４１は着席する飼い主の前側に通されることができ、飼い主は継続的にリード４１の位置を確認することができる。飼い主はリード４１を利用して犬ＤＧの位置を調整することができる。
【００４４】
加えて、リード４１は、着席するひとＨＢの前方でテーブル２３の第１辺２５ａや第２辺２５ｂに沿って延びるので、テーブル２３に給仕する店員や、着席する飼い主およびその他のひとたちの動線ＭＬに交差しなくて済む。店員やひとＨＢの動きに支障は生じない。ひとＨＢの居心地は向上する。
【００４５】
本実施形態では、リードフック４２は、チェア２６に着席するひとＨＢの胸よりも前方に配置される。チェア２６に着席するひとＨＢの胸よりも後方に配置される場合に比べて、ひとＨＢの手はリードフック４２に到達しやすい。ひとＨＢは、リードフック４２に対してリード４１の着脱を簡単に実施することができる。
【００４６】
リード４１はリードフック４２から延びて重力で垂れ下がる。このとき、リードフック４２は、天板２５の天面から１００ｍｍの高さよりも下方に配置されることから、リード４１の高さは高くてもテーブル２３の高さ程度に抑えられるので、ひとは視界内にリード４１を収めつつもリード４１を意識せずに済む。その一方で、リードフックが天板２５の天面から１００ｍｍを超えた高さに位置すると、リード４１の位置はひとＨＢの視線の高さに近づくことから、ひとＨＢの意識はどうしてもリード４１に引き寄せられてしまう。リード４１が気になって、ひとＨＢは落ち着いて食事することができない。
【００４７】
特に、本実施形態では、リードフック４２は天板２５の上方に配置される。したがって、リードフック４２はテーブル２３の天板２５の上方で壁３８から突出する。ひとＨＢは、着席や離席にあたって、突出するリードフック４２との接触に注意を引かれずに済む。その一方で、天板２５の輪郭の外側で着席するひとＨＢに隣り合って壁３８からリードフックが突出すると、ひとＨＢは着席や離席の動作にあたってリードフックとの接触を危惧してしまう。ひとＨＢはリードフックとの接触に煩わされてしまう。
【００４８】
図５に示されるように、テーブル２３の第１辺２５ａや第２辺２５ｂには、リードフック４２から延びるリード４１を案内するリードガイド５７が取り付けられてもよい。リードガイド５７はテーブル２３の天板２５に沿ってリード４１を保持することができる。したがって、ひとＨＢは、チェア２６に対する着席や離席の動作にあたってさらに良好にリード４１との接触に煩わされずに済む。
【００４９】
なお、テーブル２３の天板２５が壁３８に突き当てられる一端２５ｄから壁３８に直交する開放端２５ｅまで広がる場合には、チェア２６は、第１辺２５ａおよび第２辺２５ｂにそれぞれ１つずつ配置されてもよく、第１辺２５ａおよび第２辺２５ｂにそれぞれ３つずつ配置されてもよい。リードフック４２は同様に壁３８に固着されればよい。この場合には、テーブル２３にはチェア２６に代わってベンチシート２７が組み合わせられてもよい。
【００５０】
図６はテーブル２３およびベンチシート２７の一具体例を示す。ここでは、テーブル２３には、第１辺２５ａに沿ってベンチシート２７が組み合わせられ、第２辺２５ｂに沿ってチェア２６が組み合わせられる。ベンチシート２７の背後で床面から鉛直方向に壁５８は立ち上がる。テーブル２３の脇を通ってベンチシート２７に対する着席や離席の動作は実現される。ベンチシート２７は、座面でひとの臀部を受けるシート２７ａを備える。シート２７ａには、座面の後端から立ち上がる背もたれ２７ｂが結合される。
【００５１】
背もたれ２７ｂの上方で壁５８にはリードフック５９が固着される。リードフック５９には犬ＤＧの首輪３９から延びるリード４１が繋ぎ止められる。リードフック５９は前述のリードフック４２と同様の構造を備える。リードフック５９は、ベンチシート２７上で隣り合う座席６１の間に配置される。リードフック５９は、背もたれ２７ｂの上端から１００ｍｍの高さよりも下方に位置する。
【００５２】
食事にあたってひとＨＢはベンチシート２７に着席する。ひとＨＢは、テーブル２３の脇をすり抜けてシート２７ａの座面に臀部を下ろす。その後、リードフック５９にリード４１を繋ぎ止める。リードフック５９は壁５８に固着されるので、リード４１はホール１７内でリードフック５９に繋ぎ止められることができる。リード４１の働きで犬ＤＧの動きは制限されるので、犬ＤＧの動きの範囲は限定される。こうして飼い主以外のひとたちに迷惑が及ぶことは防止される。飼い主は安心して犬ＤＧといっしょに食事を楽しむことができる。
【００５３】
しかも、着席や離席にあたって、ひとＨＢの動きの経路はベンチシート２７の背もたれ２７ｂの厚みでリードフック５９に接触しない空間に規制される。ひととリードフック５９との接触は回避される。
【００５４】
本実施形態では、リードフック５９は、ベンチシート２７上で隣り合う座席６１の間で壁５８に固着される。リード４１は、リードフック５９からひとＨＢの間を抜けてテーブル２３に向かって前方に延びることができる。こうしてリード４１は着席する飼い主の前側に通されることができる。飼い主は継続的にリード４１の位置を確認することができる。飼い主はリード４１を利用して犬ＤＧの位置を調整することができる。加えて、着席および離席の動線ＭＬとリード４１との干渉は回避されることができる。
【００５５】
リードフック５９は、背もたれ２７ｂの上端から１００ｍｍの高さよりも下方に配置される。リードフック５９は、視覚的に壁５８から盛り上がる背もたれ２７ｂに紛れることから、ひとＨＢは、視界にリードフック５９が入ってきても、突出するリードフック５９に注意を引かれずに済む。その一方で、リードフック５９が背もたれ２７ｂの上端から１００ｍｍを超えた高さに位置すると、ひとＨＢの視界の中で壁５８から突出するリードフックに無意識に注意が向けられることから、ひとＨＢは着席や離席の動作にあたってリードフックとの接触を危惧してしまう。ひとＨＢはリードフックとの接触に煩わされてしまう。
【００５６】
図７に示されるように、テーブル２３の第１辺２５ａには、リードフック５９に向き合わせられる位置でリードガイド６２が取り付けられてもよい。リードガイド６２はテーブル２３の天板２５に沿ってリード４１を保持することができる。したがって、ひとは、ベンチシート２７に対する着席や離席の動作にあたってさらに良好にリード４１との接触に煩わされずに済む。
【００５７】
なお、テーブル２３の両側辺２５ｃに沿ってベンチシート２７に対する動線ＭＬが確保される場合には、言い換えると、テーブル２３の両側辺２５ｃのいずれも壁に突き当てられずに開放される場合には、ベンチシート２７には１つのテーブル２３の第１辺２５ａに沿って１座席または２座席または３座席のいずれが確保されてもよい。テーブル２３のいずれかの側辺２５ｃが前述のように壁３８に突き当てられる場合には、前述と同様に壁３８にリードフック４２が固着されればよい。
【００５８】
図８はテーブル２３およびチェア２６の他の具体例を示す。ここでは、テーブル２３には、第１辺２５ａおよび第２辺２５ｂに沿ってそれぞれ２脚のチェア２６が組み合わせられる。チェア２６の背後で床面から鉛直方向に壁６４は立ち上がる。テーブル２３の両側２５ｃに沿ってチェア２６に対する着席や離席の動線は個別に確保される。言い換えると、テーブル２３の両側辺２５ｃのいずれも壁に突き当てられずに開放される。
【００５９】
２つのチェア２６の間で壁６４にはリードフック６５が固着される。リードフック６５には犬ＤＧの首輪から延びるリード４１が繋ぎ止められる。リードフック６５は前述のリードフック４２と同様の構造を備える。リードフック６５は、天板２５の天面を含む水平面よりも上方に配置される。リードフック６５は、背もたれ２６ｄの上端に接する水平面から１００ｍｍの高さよりも下方に位置する。
【００６０】
食事にあたってひとＨＢはチェア２６に着席する。ひとＨＢは、テーブル２３の脇をすり抜けてシート２６ａの座面に臀部を下ろす。その後、リードフック６５にリード４１を繋ぎ止める。リードフック６５は壁６４に固着されるので、リード４１はホール１７内でリードフック６５に繋ぎ止められることができる。リード４１の働きで犬ＤＧの動きは制限されるので、犬ＤＧの動きの範囲は限定される。こうして飼い主以外のひとたちに迷惑が及ぶことは防止される。飼い主は安心して犬といっしょに食事を楽しむことができる。
【００６１】
リード４１は、リードフック６５からテーブル２３に向かって前方に延びることができる。こうしてリード４１は着席する飼い主の前側に通されることができる。飼い主は継続的にリード４１の位置を確認することができる。飼い主はリード４１を利用して犬ＤＧの位置を調整することができる。加えて、着席および離席の動線ＭＬとリード４１との干渉は回避されることができる。
【００６２】
図９に示されるように、テーブル２３の第１辺２５ａには、リードフック６５に向き合わせられる位置でリードガイド６６が取り付けられてもよい。リードガイド６６はテーブル２３の天板２５に沿ってリード４１を保持することができる。したがって、ひとはさらに良好にリード４１との接触に煩わされずに済む。
【符号の説明】
【００６３】
２３…テーブル、２５…天板、２５ａ…２縁のうち１つ（第１辺）、２５ｂ…２縁のうち１つ（第２辺）、２５ｄ…一端、２５ｅ…開放端、２６…座席（チェア）、２６ａ…座面（シート）、２６ｄ…背もたれ、２７…ベンチシート、２７ａ…座面（シート）、２７ｂ…背もたれ、３８…壁、３９…首輪、４１…リード、４２…リードフック、５８…壁、５９…リードフック、６１…座席、６４…壁、６５…リードフック、ＤＧ…犬、ＨＢ…ひと、Ｍ…飲食店舗システム。
【図１】
0003221197.tif 000003
【図２】
0003221197.tif 000004
【図３】
0003221197.tif 000005
【図４】
0003221197.tif 000006
【図５】
0003221197.tif 000007
【図６】
0003221197.tif 000008
【図７】
0003221197.tif 000009
【図８】
0003221197.tif 000010
【図９】
0003221197.tif 000011